(57)【特許請求の範囲】
【請求項１】
ＩＰネットワークに接続される通信端末装置と、前記通信端末装置と無線信号で通信し、公衆交換電話網に接続される電話装置とを備えた電話通信システムにおいて、
前記通信端末装置は、前記ＩＰネットワークからの不在着信履歴を蓄積し、前記電話装置からの接続要求があると、前記不在着信履歴を表示データとして前記電話装置へ前記接続要求に対して応答する機能を備え、
前記電話装置は、前記通信端末装置への接続要求に対する応答で送信される前記表示データを表示部に表示する機能を備えたことを特徴とする電話通信システム。
【請求項２】
前記通信端末装置は、前記不在着信履歴がないときに、代わりに蓄積されている電話帳リストを表示データとして前記電話装置へ送信する機能を備えたことを特徴とする請求項１記載の電話通信システム。
【請求項３】
前記通信端末装置は、前記表示データを送信するときに、前記電話装置の表示部のサイズに表示データを調整して送信し、前記電話装置の操作部を操作することで送信される押下キーデータに応じて前記電話装置に送信する表示データを更新することを特徴とする請求項１または２記載の電話通信システム。
【請求項４】
前記電話装置は、前記公衆交換電話網に接続された親機と、前記親機と無線信号で接続される１台以上の子機とで構成されるコードレス電話装置であることを特徴とする請求項１から３のいずれかの項に記載の電話通信システム。
【請求項５】
前記通信端末装置は、コンピュータにハンドセットを設け、電話機能ソフトを動作させたＩＰソフトホンであることを特徴とする請求項１から４のいずれかの項に記載の電話通信システム。
【発明の詳細な説明】
【技術分野】
【０００１】
本発明は、ＩＰネットワークに接続される通信端末装置と、通信端末装置と無線信号で通信し、公衆交換電話網に接続される電話装置とを備えた電話通信システムに関する。
【背景技術】
【０００２】
インターネットを利用して通話を行うコードレス電話装置において、親機から子機へ自動的に転送することを可能とすることで、煩雑な操作を必要とせず利便性を向上させたものが知られている（例えば、特許文献１参照）。
【０００３】
ところで、インターネットに接続するだけでなく、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）に接続していれば用途に応じ使い分けることができるので、更に利便性を向上させることができる。例えば、公衆交換電話網に接続された電話装置と、インターネットなどのＩＰネットワークに接続された通信端末装置とが、無線信号で通信して、電話装置と通信端末装置との間でセッションを確立することで、通信端末装置を介して電話装置とＩＰネットワークとの間で通話を発信したり着信したりすることができる従来の電話通信システムが知られている。
【特許文献１】特開２００４−１３５００６号公報
【発明の開示】
【発明が解決しようとする課題】
【０００４】
従来の電話通信システムでは、電話装置を用途に応じて公衆交換電話網、またはＩＰネットワークと通信先を変えることになる。利用者にとってはどちらに接続しているのかが電話装置の表示画面から判別できるだけでなく、更に使い勝手がよいものが求められている。
【０００５】
そこで本発明の目的は、用途に合わせて接続先を変更したときでも、使い勝手のよい電話通信システムを提供することにある。
【課題を解決するための手段】
【０００６】
本発明の電話通信システムは、ＩＰネットワークに接続される通信端末装置と、前記通信端末装置と無線信号で通信し、公衆交換電話網に接続される電話装置とを備えた電話通信システムにおいて、前記通信端末装置は、前記ＩＰネットワークからの不在着信履歴を蓄積し、前記電話装置からの接続要求があると、前記不在着信履歴を表示データとして前記電話装置へ前記接続要求に対して応答する機能を備え、前記電話装置は、前記通信端末装置への接続要求に対する応答で送信される前記表示データを表示部に表示する機能を備えたことを特徴とする。
【発明の効果】
【０００７】
本発明は、用途に合わせて接続先を変更したときでも、不在着信があったときにその履歴が表示されるので、使い勝手のよい電話通信システムとすることができる。
【発明を実施するための最良の形態】
【０００８】
本願の第１の発明は、ＩＰネットワークに接続される通信端末装置と、通信端末装置と無線信号で通信し、公衆交換電話網に接続される電話装置とを備えた電話通信システムにおいて、通信端末装置は、ＩＰネットワークからの不在着信履歴を蓄積し、電話装置からの接続要求があると、不在着信履歴を表示データとして電話装置へ接続要求に対して応答する機能を備え、電話装置は、通信端末装置への接続要求に対する応答で送信される表示データを表示部に表示する機能を備えたことを特徴としたものである。
【０００９】
通信端末装置はＩＰネットワークに接続されている。電話装置は公衆交換電話網に接続されている。そして通信端末装置と電話装置とは無線信号で接続される。つまり電話装置は、通信端末装置を介してＩＰネットワークへ発信したり、ＩＰネットワークから着信したりすることができる。通信端末装置は、ＩＰネットワークからの着信があり応答できないときに、不在着信履歴として蓄積する。そして通信端末装置は、電話装置からの接続要求を受信したときに、この不在着信履歴を表示データとして電話装置へ送信する。電話装置は、通信端末装置から送信された表示データを受信して表示部に表示する。つまり通信端末装置を介してＩＰネットワークとの通話を行うときに、不在着信履歴があればそのリストが表示されるので、利用者は電話装置を通信端末装置と接続するだけで不在着信があったことを認識することができる。利用者は、不在着信があれば、その発信元へ発信する場合が多いので、不在着信があったときにその履歴が表示されることで使い勝手が向上する。
【００１０】
本願の第２の発明は、通信端末装置は、不在着信履歴がないときに、代わりに蓄積されている電話帳リストを表示データとして電話装置へ送信する機能を備えたことを特徴としたものである。
【００１１】
不在着信があればその発信元へ発信することになるが、不在着信がないときでは所望とする通話相手へ発信することになる。そのようなときに、通信端末装置から表示データとして電話帳リストが送信されることで、そのリストの中から選択して発信することができるので、更に使い勝手がよい。
【００１２】
本願の第３の発明は、通信端末装置は、表示データを送信するときに、電話装置の表示部のサイズに表示データを調整して送信し、電話装置の操作部を操作することで送信される押下キーデータに応じて電話装置に送信する表示データを更新することを特徴としたものである。
【００１３】
電話装置は比較的に表示面積の小さい表示部を有しているものであり、通信端末装置の表示画面の面積が電話装置よりも大きいときには、電話装置の表示部のサイズに表示データを調整して送信することで、電話装置の表示部で表示データが表示できなかったり、ずれて表示されたりすることを防止することができる。
【００１４】
本願の第４の発明は、電話装置は、公衆交換電話網に接続された親機と、親機と無線信号で接続される１台以上の子機とで構成されるコードレス電話装置であることを特徴としたものである。
【００１５】
電話装置を親機と子機とで構成されるコードレス電話装置とすることで、子機を持ちながら移動してＩＰネットワークに電話をかけたり受けたりすることができる。
【００１６】
本願の第５の発明は、通信端末装置は、コンピュータにハンドセットを設け、電話機能ソフトを動作させたＩＰソフトホンであることを特徴としたものである。
【００１７】
通信端末装置をＩＰソフトホンとすることで、通信端末装置からＩＰネットワークへ電話をかけたり受けたりすることができる。
【００１８】
（実施の形態）
本発明の実施の形態に係る電話通信システムについて図面に基づいて説明する。まずは電話通信システム全体を図１に基づいて説明する。図１は、本発明の実施の形態に係る電話通信システム全体の構成を説明する図である。
【００１９】
図１に示すように、電話通信システム１は、ＰＣソフトホン１０と、コードレス電話装置２０とを備えている。
【００２０】
ＰＣソフトホン１０は、図示しないハンドセットが接続されたＰＣ（Ｐｅｒｓｏｎａｌ  Ｃｏｍｐｕｔｅｒ）１１に電話機能ソフトを動作させるものである。ＰＣ１１は、ＩＰネットワークであるインターネットＮにＬＡＮ（Ｌｏｃａｌ  Ａｒｅａ  Ｎｅｔｗｏｒｋ）で接続されている。また、ＰＣ１１に設けられたにＵＳＢ（Ｕｎｉｖｅｒｓａｌ  Ｓｅｒｉａｌ  Ｂｕｓ）ポートに無線通信機能を備えたドングル１２が接続されている。「ドングル」とは、コンピュータの不正使用を防ぐための装置で、このドングル１２がＰＣ１１に接続されていないときはＰＣ１１で動作する電話機能ソフトが起動しない、または動作しないように設定されている。このドングル１２とＰＣソフトホン１０とで通信端末装置として機能するＩＰソフトホンが構成されている。
【００２１】
コードレス電話装置２０は、公衆交換電話網Ｌに接続される親機２１と、親機２１と無線信号で接続される子機２２とを備えている。図１においては、子機２２として１台のみを図示しているが、複数台備えていてもよい。コードレス電話装置２０の親機２１にドングル１２の識別情報を登録することで、親機２１からはドングル１２を含むＰＣソフトホン１０が子機２２と同じ機能を有するものとして扱われる。
【００２２】
次に、ＰＣ１１の構成について図２に基づいて説明する。図２は、ＰＣ１１の構成を説明する図である。図２に示すようにＰＣ１１は、ＬＡＮ部１１１と、ＵＳＢ部１１２と、ハードディスク部１１３と、ＲＡＭ部１１４と、ＲＯＭ部１１５と、ＣＰＵ部１１６と、表示部１１７とを備えている。
【００２３】
ＬＡＮ部１１１は、インターネットＮと接続するために、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）であればモデムや、光接続であれば回線終端装置と接続される（図１においては、モデムや回線終端装置は図示していない。）。ＵＳＢ部１１２は、高速にデータを送受信可能な汎用性の高いシリアルインタフェースである。本実施の形態ではドングル１２がＵＳＢインタフェースを備えたものを採用しているので、このＵＳＢ部１１２に接続される。ハードディスク部１１３は、ＰＣ１１を動作するＯＳ（Ｏｐｅｒａｔｉｎｇ  Ｓｙｓｔｅｍ）や、このＯＳに管理される電話機能ソフトや、または他のアプリケーションの各プログラムなどがファイルとして格納される。また、設定データファイルや、各プログラムが動作する上で発生する作業ファイルなどが格納される。ＲＡＭ部１１４は、ＰＣ１１を動作するＯＳ、このＯＳに管理される電話機能ソフト、または他のアプリケーションの各プログラムが展開されたり、各プログラムの作業領域として使用されたりする。ＲＯＭ部１１５は、電源投入時にＰＣ１１の初期診断を行ったり、ＯＳを読み込んだりするプログラムが格納されている。ＣＰＵ部１１６は、各プログラムを実行してＰＣ１１を統括制御する制御部である。表示部１１７は、ＰＣ１１としての表示モニタであり、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などを使用することができる。
【００２４】
次に、ドングル１２の構成について図３および図４に基づいて説明する。図３は、ドングル１２の構成を説明する図である。図４は、ドングル１２の外観図である。図３に示すようにドングル１２は、ＵＳＢ部１２１と、ＲＦ部１２２と、ＲＡＭ部１２３と、ＲＯＭ部１２４と、ＣＰＵ部１２５とを備えている。
【００２５】
ＵＳＢ部１２１は、ＰＣ１１とデータを送受信するためのポートである。ＲＦ部１２２は、ＣＰＵ部１２５からのデータを変調して無線信号で送信したり、コードレス電話装置２０の親機２１からの無線信号を復調してＣＰＵ部１２５へ送信したりする。ＲＡＭ部１２３は、ＲＯＭ部１２４に格納されたプログラムをＣＰＵ部１２５が実行する際の作業領域として使用される。またＲＯＭ部１２４には、ドングル１２を制御するプログラムが格納されている。ＣＰＵ部１２５は、各プログラムを実行してドングル１２を統括制御する制御部である。
【００２６】
図４に示すようにドングル１２の各部品は、略板状のカバー１２６に収納されている。このカバー１２６の側面にはＲＦ部１２２に含まれるアンテナ１２７が設けられている。そしてＵＳＢ部１２１に含まれるＵＳＢ接続可能なコネクタ１２８は、カバー１２６とケーブル１２９により接続されている。
【００２７】
次に、コードレス電話装置２０の親機２１の構成について図５および図６に基づいて説明する。図５は、親機２１の構成を説明する図である。図６は、親機２１の外観図である。
【００２８】
図５に示すように親機２１は、回線部２１１と、ＲＦ部２１２と、ＲＡＭ部２１３と、ＲＯＭ部２１４と、ＣＰＵ部２１５とを備えている。なお図５においては、発信先電話番号を入力する操作部や、電話番号などを表示する表示部や、受話器などに設けられたマイク、スピーカなどは省略している。
【００２９】
回線部２１１は、ＣＰＵ部２１５からの音声データを変調した音声信号を公衆交換電話網Ｌへ出力したり、公衆交換電話網Ｌからの音声信号を復調した音声データをＣＰＵ部２１５へ出力したりする。ＲＦ部２１２は、ＣＰＵ部２１５からのデータを変調した無線信号を子機２２へ出力したり、子機２２からの無線信号を復調したデータをＣＰＵ部２１５へ出力したりする。ＲＡＭ部２１３は、ＲＯＭ部２１４に格納されたプログラムをＣＰＵ部２１５が実行する際の作業領域として使用される。またＲＯＭ部２１４には、親機２１を制御するプログラムが格納されている。ＣＰＵ部２１５は、各プログラムを実行して親機２１を統括制御する制御部である。
【００３０】
図６に示すように、親機２１は、平面視して略矩形状に形成されたカバー２１６に各部品が収納されている。このカバー２１６の両側面にはアンテナ２１７が設けられている。また、カバー２１６の前面には、操作部２１８が設けられている。操作部２１８は、「０」キー〜「９」キー，「＃」キー，「＊」キーなどの数字キー２１８１や、様々な機能を操作する機能キー２１８２などを備えている。また操作部２１８は、ＬＣＤを用いた表示部２１８３を備えている。
【００３１】
次に、コードレス電話装置２０の子機２２の構成について図７に基づいて説明する。図７は、子機２２の構成を説明する図である。図７に示すように子機２２は、操作部２２１と、表示部２２２と、ＲＦ部２２３と、ＲＡＭ部２２４と、ＲＯＭ部２２５と、ＣＰＵ部２２６とを備えている。なお図７においては、マイクおよびスピーカなどは省略している。
【００３２】
操作部２２１は、数字キーや、機能キーなどを備えている。これのキーを押下すると、そのキーに相当するキーデータを操作部２２１からＣＰＵ部２２６が読み取ることができる。表示部２２２は、電話番号や、親機２１から送信される各種のデータを表示する液晶パネルである。ＲＦ部２２３は、ＣＰＵ部２２６からのデータを変調した無線信号を親機２１へ出力したり、親機２１からの無線信号を復調したデータをＣＰＵ部２２６へ出力したりする。ＲＡＭ部２２４は、ＲＯＭ部２２５に格納されたプログラムをＣＰＵ部２２６が実行する際の作業領域として使用される。またＲＯＭ部２２５には、子機２２を制御するプログラムが格納されている。ＣＰＵ部２２６は、各プログラムを実行して子機２２を統括制御する制御部である。
【００３３】
ここで、操作部２２１について図８に基づいて詳細に説明する。図８は、操作部２２１を説明する子機２２の外観図である。図８に示すように子機２２の前面には、「０」キー〜「９」キー，「＃」キー，「＊」キーなどの数字キー２２１１と、オフフックキー２２１２、オンフックキー２２１３キーなどの機能キーと、子機２２の状態によって機能が変わる３つのソフトキー（右ソフトキー２２１４，左ソフトキー２２１５，中央ソフトキー２２１６）などを備えている。
【００３４】
以上のように構成される本発明の実施の形態に係る電話通信システムの動作を図面に基づいて説明する。まずは、ＰＣソフトホン１０にて作成される発信履歴、着信履歴および不在着信履歴について図９に基づいて説明する。図９は、ＰＣソフトホン１０が各種リストを作成するときの動作を説明するフローチャートである。なお、ＰＣソフトホン１０は、コードレス電話装置２０の親機２１に、ＰＣソフトホン１０を識別する識別情報が登録されることで子機２２と同様に親機２１とドングル１２を介して接続されているものとする。
【００３５】
図９に示すように、まずＰＣソフトホン１０はインターネットＮを介して着信待ちをしている（Ｓ１０）。ＣＰＵ部１１６はＬＡＮ部１１１を介して着信を検出すると、発信元のメンバーを識別するメンバーＩＤを着信履歴としてハードディスク部１１３へ格納する（Ｓ２０）。
【００３６】
そしてＰＣソフトホン１０、親機２１または子機２２で着信に応答しなかったときは（Ｓ３０）、発信元のメンバーを識別するメンバーＩＤを不在着信履歴としてハードディスク部１１３へ格納する（Ｓ４０）。
【００３７】
Ｓ１０にて着信が検出されない場合、ＰＣソフトホン１０は発信操作が行われているか否かを判定する（Ｓ５０）。発信操作が行われていなければＳ１０へ戻る。発信操作が行われていれば、発信先のメンバーを識別するメンバーＩＤを発信履歴としてハードディスク部１１３へ格納する（Ｓ６０）。
【００３８】
このようにＰＣソフトホン１０は、発信先のメンバーＩＤ、または発信元のメンバーＩＤを、発信履歴、着信履歴、および不在着信履歴として蓄積する。
【００３９】
ここで、ハードディスク部１１３に格納される発信履歴、着信履歴および不在着信履歴について、図１０および図１１に基づいて詳細に説明する。なお本実施の形態においては、発信履歴と着信履歴とが１つにまとめた発着信履歴としてハードディスク部１１３に格納されている。まずは、発着信履歴について図１０に基づいて説明する。図１０は、発着信履歴の一例の構成を説明する図である。
【００４０】
図１０に示すように、発着信履歴は、メンバーＩＤと、タイプと、状態と、通話開始時間とが格納されている。例えば、まず最初の履歴は、メンバーＩＤ「００１ＩＤ０１」から１０時３８分にインターネットＮ経由で着信があり、通話は終了していることを示している。また、メンバーＩＤ「００２ＩＤ０１」へ１０時４０分にインターネットＮ経由で発信して、通話は保留状態であることを示している。また、メンバーＩＤ「００３ＩＤ０２」へ１０時４３分にインターネットＮ経由で着信があり、通話は不在であり応答ができなかったことを示している。このように発信や着信した際の相手のメンバーＩＤだけでなく不在で応答ができなかったときにも着信履歴として格納される。
【００４１】
次に不在着信履歴について図１１に基づいて説明する。図１１は、不在着信履歴の一例の構成を説明する図である。
【００４２】
図１１に示すように、メンバーＩＤ「００１ＩＤ０１」から１０時３８分にインターネットＮ経由で着信があったことを示している。またメンバーＩＤ「００２ＩＤ０１」から１０時４０分に公衆交換電話網Ｌ経由で着信があったことを示している。このように、発着信履歴および不在着信履歴は、図１０および図１１で示されるような内容が格納されている。
【００４３】
次に、ＰＣソフトホン１０が子機２２の表示部２２２へ表示するときに、不在着信履歴がないときの動作を図１２から図１６に基づいて説明する。図１２および図１３は、ＰＣソフトホン１０の動作を説明するフローチャートである。図１４は、不在着信履歴がないときのＰＣソフトホン１０の表示を示す図である。図１５は、不在着信履歴がないときの子機２２の表示を示す図である。図１６は、不在着信履歴がないときの子機２２とＰＣソフトホン１０とのデータの流れを示すシーケンスチャートである。
【００４４】
まずＰＣソフトホン１０のＰＣ１１は、ドングル１２へＵＳＢ部１１２を介してアクセスしてドングル１２が接続されているか否かを判定する（図１２（Ｓ１００））。一定期間ドングル１２からの応答がない場合には、ＵＳＢ部１１２にドングル１２が接続されていないと判定されるため、ＰＣソフトホン１０は、エラー処理を行うことで使用を中止する（図１２（Ｓ１１０））。このようにＰＣ１１上で動作することでＰＣソフトホン１０として機能するプログラムは、ドングル１２がＰＣ１１に接続されていることを条件に動作を行う。
【００４５】
Ｓ１００にてドングル１２からの応答があると、子機２２からの接続要求があるか否かを判定し、接続要求がない場合にはＳ１００へ移行する（図１２（Ｓ１２０））。このときのＰＣソフトホン１０の表示部１１７と、子機２２の表示部２２２との表示例を図１４および図１５に示す。
【００４６】
図１４に示すようにＰＣ１１の表示部１１７には、コンタクトリスト（Ｃｏｎｔａｃｔｓ  ｌｉｓｔ）と、コールリスト（ｃａｌｌ  ｌｉｓｔ）と、ダイアル（Ｄｉａｌ）とがそれぞれタブとなって表示されている。コンタクトリストには、発信先リストが表示されていると共に、不在着信履歴がないことを示すメッセージ「Ｎｏ  ｅｖｅｎｔ」が表示されている。コンタクトリストとは、予め登録された発信先のメンバーＩＤのリストで電話帳リストとして機能するものである。
【００４７】
そして図１５（Ｄ１０）に示すように子機２２の表示部２２２には、ソフトキーに対応する機能が、下部に初期画面として表示されている。例えば、ＰＣソフトホン１０との接続を示す「ＩＰ」は右ソフトキー２２１４に対応し、メニュー表示を示す「ＭＥＮＵ」は中央ソフトキー２２１６に対応し、「ＣＩＤ」は左ソフトキー２２１５に対応する。
【００４８】
この初期画面において使用者は、子機２２を用いてインターネットＮ経由で安価な通話を楽しみたいときには、「ＩＰ」に対応する右ソフトキー２２１４を押下することで、図１６のＳ２００に示すように、子機２２からＰＣソフトホン１０へ接続要求が送信される。その接続要求は、子機２２のＲＦ部２２３から無線信号として出力され、親機２１のＲＦ部２１２で一旦受信された後に、更に親機２１から無線信号としてドングル１２のＲＦ部１２２で受信してＵＳＢ部１２１を介してＰＣ１１へ到達する。なお図１６では、ＰＣ１１と子機２２との間に介在するドングル１２と親機２１とは省略している。
【００４９】
子機２２からの接続要求があるとＰＣソフトホン１０は、不在着信履歴があるか否かを判定する（図１２（（Ｓ１３０））。Ｓ１３０にて不在着信履歴がない場合には、表示部１１７に表示されているコンタクトリストを子機２２へ送信することで子機２２の表示部２２２に表示させる（図１２（Ｓ１４０））。ここで、不在着信履歴がない場合の子機２２およびＰＣソフトホン１０の動作を詳細に説明する。
【００５０】
ＰＣソフトホン１０では、接続要求となるＩＰキーに対応する右ソフトキー２２１４の押下待ちを行っている（図１３（Ｓ５００））。
【００５１】
図１６のＳ２１０に示すように、ＰＣソフトホン１０へ接続要求が到達することで、ＰＣソフトホン１０からモードを選択するための表示データを送信する（図１３（Ｓ５１０）。しかし接続要求が子機２２から送信され、ＰＣソフトホン１０からモードを選択するための画面を受信するまでの間、時間を要するので、子機２２の表示部２２２には、使用者に対する待ちを指示する「Ｐｌｅａｓｅ  ｗａｉｔ．．．」が表示される（図１５（Ｄ２０））。そして、ＰＣソフトホン１０からモードを選択するための画面を受信すると表示部２２２にその表示データが表示される（図１５（Ｄ３０））。
【００５２】
このモードを選択する画面では、左ソフトキー２２１５を押下することで、セッションを切断して公衆交換電話網Ｌから発着信するモードへ戻るモードと、コンタクトリスト、コールリスト、およびダイアルを変更するモードとが選択できる。本実施の形態では、不在着信履歴がない場合には、使用者が発信のために子機２２を用いて子機２２とＰＣソフトホン１０とのセッションを確立させたと想定できるため、初期状態として電話帳リストであるコンタクトリストを選択できる画面としている。
【００５３】
この画面から中央ソフトキー２２１６の下部を押下することで、この押下が「ＤＯＷＮ」となり、表示するリストを図１５のＤ３０から同図のＤ５０に示すように押下する度に、次々に表示させる画面をコンタクトリスト、コールリスト、およびダイアルを変更することができる。
【００５４】
このＤ３０からＤ５０までの画面は、押下した中央ソフトキー２２１６のキーデータが子機２２から親機２１とドングル１２とを介してＰＣソフトホン１０へ送信されることで、ＰＣソフトホン１０が子機２２の表示部２２２へその表示データを送信して変更される。
【００５５】
そして図１５のＤ３０の画面の状態では、ＰＣソフトホン１０は、選択キーに対応する中央ソフトキー２２１６の中央部の押下待ちを行っている（図１３（Ｓ５２０））。
【００５６】
子機２２の中央ソフトキー２２１６の中央部を押下することで、選択キー「ＳＥＬＥＣＴ」の押下となり、ＰＣソフトホン１０へ通知される（図１６（Ｓ２２０））。この通知によりコンタクトリストの件数を表示する表示データがＰＣソフトホン１０から子機２２へ送信される（図１３（Ｓ５３０），図１６（Ｓ２３０））。このときの子機２２の表示部２２２の画面を図１５のＤ６０に示す。
【００５７】
ＰＣソフトホン１０は、次候補キーに対応する中央ソフトキー２２１６の下部または上部の押下待ちを行っている（図１３（Ｓ５４０））。子機２２の中央ソフトキー２２１６の下部を押下することで、この押下が「ＤＯＷＮ」（次候補キー）となり、表示されるメンバーＩＤを順次、図１５のＤ６０からＤ９０に示すように押下する度に、変更することができる。これは、図１３のＳ５４０からＳ５８０まで、および図１６のＳ２４０からＳ２６０までに示すように、キーデータが子機２２からＰＣソフトホン１０へ送信されることで、順次コンタクトリストの表示データが、１行ずつＰＣソフトホン１０から子機２２へ送信される。この表示データ（コンタクトリスト）は、ＰＣ１１の表示部１１７の画面サイズよりも子機２２の表示部２２２の方が、表示面積が小さいので、予め表示する行数をハードディスク部１１３に設定しておくことで、ＰＣソフトホン１０は、表示部２２２にて表示可能に調整して送信している。
【００５８】
そして、ＰＣソフトホン１０は、通話キーに対応する中央ソフトキー２２１６の中央部の押下待ちを行う（図１３（Ｓ５９０））。中央ソフトキー２２１６の中央部を押下することで、この押下が通話キー「ＣＡＬＬ」となって（図１６（Ｓ２７０））、表示されているメンバーＩＤへ発信することができる（図１３（Ｓ６００），図１６（Ｓ２８０））。
【００５９】
次に、図１２のＳ１３０において、不在着信履歴がある場合のＰＣソフトホン１０と子機２２の動作を図１２と、更に図１７から図２０に基づいて説明する。図１７は、ＰＣソフトホンの動作を説明するフローチャートである。図１８は、不在着信履歴があるときのＰＣソフトホン１０の表示を示す図である。図１９は、不在着信履歴があるときの子機２２の表示を示す図である。図２０は、不在着信履歴があるときの子機２２とＰＣソフトホン１０とのデータの流れを示すシーケンスチャートである。
【００６０】
図１２のＳ１３０にてＰＣソフトホン１０が、不在着信履歴があると判定した場合には、子機２２の表示部２２２に不在着信履歴を表示する（Ｓ１５０）。この不在着信履歴の表示について、詳細に説明する。
【００６１】
不在着信履歴がある場合には、ＰＣソフトホン１０の表示部１１７には、図１８で示すような表示がされる。図１８に示すように表示部１１７には、コンタクトリストと、コールリストと、ダイアルとがそれぞれタブとなって表示されている。コールリストには、発着信リストが表示されていると共に、新たな不在着信履歴が１件あることを示すメッセージ「１  ｎｅｗ  ｅｖｅｎｔ」が表示されている。そしてその発信元としてメンバーＩＤ「ＵＳＥＲ＿０１」が表示されている。
【００６２】
また図１９に示すように子機２２の表示部２２２には、初期画面として不在着信を示すメッセージ「ＩＰ  ｍｉｓｓｅｄ  Ｃａｌｌ」が表示されている。また、この初期画面には、ソフトキーに対応する機能が、例えばＰＣソフトホン１０との接続を示す「ＩＰ」は右ソフトキー２２１４に対応し、メニュー表示を示す「ＭＥＮＵ」は中央ソフトキー２２１６に対応し、「ＣＩＤ」は左ソフトキー２２１５に対応するように下部に表示されている（Ｄ１００）。この不在着信を示すメッセージは、子機２２の電源投入の通知が、親機２１およびドングル１２を介してＰＣソフトホン１０へ送信されることで、不在着信がある旨のメッセージをＰＣソフトホン１０が子機２２へ応答することで表示している。
【００６３】
使用者が、この初期画面を見ることで右ソフトキー２２１４を押下すると、図２０のＳ３００に示すように接続要求が子機２２からＰＣソフトホン１０へ送信される。
【００６４】
ＰＣソフトホン１０では、接続要求となるＩＰキーに対応する右ソフトキー２２１４の押下待ちを行っている（図１７（Ｓ７００））。
【００６５】
図２０のＳ３１０に示すように、ＰＣソフトホン１０へ接続要求が到達することで、ＰＣソフトホン１０からモードを選択するための表示データを送信する（図１７（Ｓ７１０））。しかし接続要求が子機２２から送信され、ＰＣソフトホン１０からモードを選択するための画面を受信するまでの間、時間を要するので、子機２２の表示部２２２には、使用者に対する待ちを指示する「Ｐｌｅａｓｅ  ｗａｉｔ．．．」が表示される（図１９（Ｄ１１０））。そして、ＰＣソフトホン１０からモードを選択するための画面を受信すると表示部２２２にその表示データが表示される（図１９（Ｄ１２０））。
【００６６】
このモードを選択する画面では、左ソフトキー２２１５を押下することで、セッションを切断して公衆交換電話網Ｌから発着信するモードへ戻るモードと、不在着信履歴（ミスドコール）、コンタクトリスト、コールリスト、およびダイアルを変更するモードとが選択できる。本実施の形態では、不在着信履歴がある場合には、まずは不在着信履歴にある発信元へ子機２２を用いて発信したという使用者の要望があると想定できるため、初期状態として不在着信履歴の表示が選択できる画面としている。
【００６７】
この画面から中央ソフトキー２２１６の下部を押下することで、この押下が「ＤＯＷＮ」となり、表示するリストを図１９のＤ１２０からＤ１５０に示すように押下する度に、次々に表示させる画面を不在着信履歴、コンタクトリスト、コールリスト、およびダイアルを変更することができる。
【００６８】
この図１９のＤ１２０からＤ１５０までの画面は、押下した中央ソフトキー２２１６のキーデータが子機２２から親機２１とドングル１２とを介してＰＣソフトホン１０へ送信されることで、ＰＣソフトホン１０が子機２２の表示部２２２へその表示データを送信することで変更される。
【００６９】
そして図１９のＤ１２０の画面の状態では、ＰＣソフトホン１０は、選択キーに対応する中央ソフトキー２２１６の中央部の押下待ちを行っている（図１７（Ｓ７２０））。
【００７０】
子機２２の中央ソフトキー２２１６の中央部を押下することで、選択キー「ＳＥＬＥＣＴ」の押下となり、ＰＣソフトホン１０へ通知される（図２０（Ｓ３２０））。この通知により不在着信履歴の件数を表示する表示データがＰＣソフトホン１０から子機２２へ送信される（図１７（Ｓ７３０），図２０（Ｓ３３０））。このときの子機２２の表示部２２２の画面を図１９のＤ１６０に示す。
【００７１】
ＰＣソフトホン１０は、次候補キーに対応する中央ソフトキー２２１６の下部または上部の押下待ちを行っている（図１７（Ｓ７４０））。子機２２の中央ソフトキー２２１６の下部を押下することで、この押下が「ＤＯＷＮ」（次候補キー）となり、表示されるメンバーＩＤを順次、図１９のＤ１７０からＤ１９０に示すように押下する度に、変更することができる。これは、図１７のＳ７４０からＳ７８０まで、および図２０のＳ３４０からＳ３６０までに示すように、キーデータが子機２２からＰＣソフトホン１０へ送信されることで、順次不在着信履歴の表示データが、１行ずつＰＣソフトホン１０から子機２２へ送信される。これは、コンタクトリストの表示の場合と同様に、ＰＣ１１の表示部１１７の画面サイズよりも子機２２の表示部２２２の方が表示面積が小さいので、予め表示する行数をハードディスク部１１３に設定しておくことで、ＰＣソフトホン１０は、表示部２２２にて表示可能に調整された表示データ（不在着信履歴）を送信している。
【００７２】
そして、ＰＣソフトホン１０は、通話キーに対応する中央ソフトキー２２１６の中央部の押下待ちを行う（図１７（Ｓ７９０））。中央ソフトキー２２１６の中央部を押下することで、この押下が通話キー「ＣＡＬＬ」となって（図２０（Ｓ３７０））、表示されている不在着信の発信元のメンバーＩＤへ発信することができる（図１７（Ｓ８００），図２０（Ｓ３８０））。
【００７３】
このように本実施の形態に係る通信電話システムは、ＰＣソフトホン１０だけでなく、親機２１を介してコードレス電話装置２０の子機２２を用いてインターネットＮへの安価な通話が楽しむことができる。また、子機２２を用いてインターネットＮへの通話と楽しむ場合でも、不在着信履歴があるときには、子機２２からＰＣソフトホン１０へ接続要求を送信することで、その応答として不在着信履歴が表示データとして送信され子機２２の表示部２２２へ表示されるので、使用者はすぐ不在着信の発信元へ発信することができる。従って、使い勝手のよい通信電話システムである。そして、子機２２の操作部２２１を操作することで、その操作内容がＰＣソフトホン１０へ送信され、その操作内容に応じて表示データがＰＣソフトホン１０から送信されるので、子機２２を操作するだけで高機能なＰＣソフトホン１０を操作するのと同等な利便性を得ることができる。従って、片手で持ち運びができる状態で高機能なインターネットＮへの通話を楽しむことができる。
【産業上の利用可能性】
【００７４】
本発明は、用途に合わせて接続先を変更したときでも使い勝手がよいので、ＩＰネットワークに接続される通信端末装置と、通信端末装置と無線信号で通信し、公衆交換電話網に接続される電話装置とを備えた電話通信システムに好適である。
【図面の簡単な説明】
【００７５】
【図１】本発明の実施の形態に係る電話通信システム全体の構成を説明する図
【図２】ＰＣの構成を説明する図
【図３】ドングルの構成を説明する図
【図４】ドングルの外観図
【図５】親機の構成を説明する図
【図６】親機の外観図
【図７】子機の構成を説明する図
【図８】操作部を説明する子機の外観図
【図９】ＰＣソフトホンが各種リストを作成するときの動作を説明するフローチャート
【図１０】発着信履歴の一例の構成を説明する図
【図１１】不在着信履歴の一例の構成を説明する図
【図１２】ＰＣソフトホンの動作を説明するフローチャート
【図１３】ＰＣソフトホンの動作を説明するフローチャート
【図１４】不在着信履歴がないときのＰＣソフトホンの表示を示す図
【図１５】不在着信履歴がないときの子機の表示を示す図
【図１６】不在着信履歴がないときの子機とＰＣソフトホンとのデータの流れを示すシーケンスチャート
【図１７】ＰＣソフトホンの動作を説明するフローチャート
【図１８】不在着信履歴があるときのＰＣソフトホンの表示を示す図
【図１９】不在着信履歴があるときの子機の表示を示す図
【図２０】不在着信履歴があるときの子機とＰＣソフトホンとのデータの流れを示すシーケンスチャート
【符号の説明】
【００７６】
１    電話通信システム
１０    ＰＣソフトホン
１１    ＰＣ
１２    ドングル
２０    コードレス電話装置
２１    親機
２２    子機
１１１    ＬＡＮ部
１１２    ＵＳＢ部
１１３    ハードディスク部
１１４    ＲＡＭ部
１１５    ＲＯＭ部
１１６    ＣＰＵ部
１１７    表示部
１２１    ＵＳＢ部
１２２    ＲＦ部
１２３    ＲＡＭ部
１２４    ＲＯＭ部
１２５    ＣＰＵ部
１２６    カバー
１２７    アンテナ
１２８    コネクタ
１２９    ケーブル
２１１    回線部
２１２    ＲＦ部
２１３    ＲＡＭ部
２１４    ＲＯＭ部
２１５    ＣＰＵ部
２１６    カバー
２１７    アンテナ
２１８    操作部
２２１    操作部
２２２    表示部
２２３    ＲＦ部
２２４    ＲＡＭ部
２２５    ＲＯＭ部
２２６    ＣＰＵ部
２１８１    数字キー
２１８２    機能キー
２１８３    表示部
２２１１    数字キー
２２１２    オフフックキー
２２１３    オンフックキー
２２１４    右ソフトキー
２２１５    左ソフトキー
２２１６    中央ソフトキー
【図１】
0004730200.tif 000002
【図２】
0004730200.tif 000003
【図３】
0004730200.tif 000004
【図４】
0004730200.tif 000005
【図５】
0004730200.tif 000006
【図６】
0004730200.tif 000007
【図７】
0004730200.tif 000008
【図８】
0004730200.tif 000009
【図９】
0004730200.tif 000010
【図１０】
0004730200.tif 000011
【図１１】
0004730200.tif 000012
【図１２】
0004730200.tif 000013
【図１３】
0004730200.tif 000014
【図１４】
0004730200.tif 000015
【図１５】
0004730200.tif 000016
【図１６】
0004730200.tif 000017
【図１７】
0004730200.tif 000018
【図１８】
0004730200.tif 000019
【図１９】
0004730200.tif 000020
【図２０】
0004730200.tif 000021